(57)【要約】【課題】庇板の張出し長さに応じた補強が可能な構成のパイプを用いてアームを構成することにより、同じパイプを庇板の張出し長さが異なる庇に使用可能とし、庇板の張出し長さに応じた複数種類のパイプを用意する必要がないようにする。【解決手段】庇板を支持するアーム４は、アルミニウムの押出加工などにより形成された金属製の中空のパイプ４０より成る。パイプ４０内には、中心位置に筒状壁４１、筒状壁４１の周囲の等角度位置毎に径方向に沿う補強リブ４２がそれぞれ全長にわたって一体に形成されている。隣合う補強リブ４２，４２間の中空部ａ〜ｄは、棒状の金属製の補強材５がパイプ４０のほぼ全長にわたって嵌挿することが可能に形成されている。【選択図】図７
2012087539.tif 000002
【特許請求の範囲】
【請求項１】
庇板と、庇板を前方へ張り出した状態で庇板の後端部を保持する保持具と、庇板を上方または下方より支持するアームとから成る庇において、前記アームは、金属製の中空のパイプより成り、パイプの一端部が建物の外壁面に取り付けられた支持金具により支持され、パイプの他端部が庇板に取り付けられた連結金具に連結されており、前記パイプ内には、中心位置に筒状壁、筒状壁の周囲の等角度位置毎に径方向に沿う補強リブがそれぞれ全長にわたって一体に形成されるとともに、隣合う補強リブ間の中空部は、金属製の補強材がパイプのほぼ全長にわたって嵌挿することが可能に形成されて成る庇。
【請求項２】
前記補強材は、帯板材であり、前記パイプは、内周面と筒状壁の外周面との対向位置に、帯板材の上下各縁が摺動自由に嵌合する溝がそれぞれ全長にわたって形成されている請求項１に記載された庇。
【発明の詳細な説明】
【技術分野】
【０００１】
この発明は、建物の外壁面より庇板が前方へ張り出すように設けられる庇に関し、特にこの発明は、庇板を上方または下方より支持するためのアームが設けられた庇に関する。
【背景技術】
【０００２】
従来の庇は、建物の外壁面に取り付けられた保持具に庇板の後端部が保持された構造のものが一般的である。庇板として、金属板、合成樹脂板、ガラス板などを用いた一枚構成のものの他、複数の金属製の板材を幅方向へ連結して構成されたものなどがある。庇板の建物の外壁面からの張出し長さは、庇が設置される建物やその設置場所などに応じて、大小設定される。
【０００３】
従来の庇には、庇板の長さが多少大きくても、庇板の荷重や庇板にかかる風圧に十分に耐え得る構造のものも存在するが、より大きな安全性と安心感とを確保するために、図１０に示すように、庇板１００を例えば上方より支持するためのアーム１０１を設けることも広く行われている。また、張出し長さが大きくなるに従って、庇板１００の重量が増し、面積も大きくなるので、張出し長さがとりわけ大きな庇については、下方からの風圧が顕著に大きくなり、アーム１０１を設けることが不可欠となる。
【０００４】
その種のアーム１０１は、パイプ１０２の基端部が建物の外壁面１０に取り付けられた支持金具１０３により支持され、パイプ１０２の先端部は庇板１００に取り付けられた連結金具１０４に連結されている。庇板１００が金属製であれば、前記連結金具１０４は庇板１００の上面に取り付けられ、庇板１００が板ガラスであれば、図中、一点鎖線で示すように、庇板１００の先端縁などに装着された縁枠１０５に取り付けられる（例えば特許文献１参照）。一般にこの種のアームには、高所での取付作業を伴うため、軽量であることが望ましいことから、金属製の中空体のパイプを用いて構成されている。パイプの材質は強度に優れたステンレスが用いられる他、軽量なアルミニウムも用いられている。
【先行技術文献】
【特許文献】
【０００５】
【特許文献１】特開２００６−２０７２３１号公報
【発明の概要】
【発明が解決しようとする課題】
【０００６】
庇板１００の張出し長さが大きくなると、庇板１００の荷重や庇板１００に作用する風圧が増すため、アーム１０１のパイプ１０２は荷重や風圧を受けて変形したり折れ曲がったりするおそれがある。そのため、庇板の張出し長さに応じて材質、肉厚、直径などを変えて強度を高めた複数種類のパイプを用意する必要があり、種類毎のパイプの製作にコストがかさみ、在庫管理も煩雑となる。
【０００７】
この発明は、上記した問題に着目してなされたもので、庇板の張出し長さに応じた補強が可能な構成のパイプを用いてアームを構成することにより、同じパイプを庇板の張出し長さが異なる庇に使用可能とし、もって、庇板の張出し長さに応じた複数種類のパイプを用意することがなく、在庫管理が容易な低コストの庇を提供することを目的とする。
【課題を解決するための手段】
【０００８】
この発明による庇は、庇板と、庇板を前方へ張り出した状態で庇板の後端部を保持する保持具と、庇板を上方または下方より支持するアームとから成る。前記アームは、金属製の中空のパイプより成り、パイプの一端部が建物の外壁面に取り付けられた支持金具により支持され、パイプの他端部が庇板に取り付けられた連結金具に連結されている。前記パイプ内には、中心位置に筒状壁、筒状壁の周囲の等角度位置毎に径方向に沿う補強リブがそれぞれ全長にわたって一体に形成されるとともに、隣合う補強リブ間の中空部は、金属製の補強材がパイプのほぼ全長にわたって嵌挿することが可能に形成されている。
【０００９】
上記した構成の庇は、張出し長さが小さければ、いずれの中空部にも補強材が挿入されていないパイプを用いたアームが設けられる。張り出し長さが大きければ、いずれかの中空部に補強材が嵌挿されたパイプを用いたアームが設けられる。パイプに嵌挿される補強材の本数は庇板の張出し長さに応じて設定する。パイプは筒状壁の周囲に複数の補強リブが設けられているので、補強材が嵌挿されなくてもパイプの強度は高められており、さらに、補強材の嵌挿によって、挿入本数に応じた強度に高められる。なお、パイプの筒状壁は、両端部においてその内孔にネジ孔を形成することが可能であり、これにより支持金具や連結金具との連結が可能となる。
パイプは庇板の張出し長さに応じた補強が可能な構成になっているので、同じパイプを庇板の張出し長さが異なる庇に使用することが可能であり、庇板の張出し長さに応じて強度の異なる複数種類のパイプを用意する必要がない。
【００１０】
パイプおよび補強材には種々の態様が考えられるが、好ましい一実施態様では、前記補強材は、帯板材であり、前記パイプは、内周面と筒状壁の外周面との対向位置に、帯板材の上下各縁が摺動自由に嵌合する溝がそれぞれ全長にわたって形成されている
【００１１】
この実施態様によれば、補強材としての帯板材が中空部に嵌挿されると、帯板材は補強リブと同等に機能を発揮するので、補強リブの数を増すのと同じ効果があり、パイプの強度が高められる。
【発明の効果】
【００１２】
この発明によると、庇板の張出し長さに応じた補強が可能な構成の金属製の中空のパイプを用いてアームを構成することで、同じパイプを庇板の張出し長さが異なる庇に使用可能としたから、庇板の張出し長さに応じた複数種類のパイプを用意する必要がない。その結果、在庫管理が容易となり、低コストの庇が得られる。また、パイプは複数の補強リブによってパイプの強度が高められているので、補強材を嵌挿せずにパイプ単独で用いても、庇板の荷重や庇板に作用するかなりの風圧に耐えることができる。
【図面の簡単な説明】
【００１３】
【図１】この発明の一実施例である庇の外観を示す側面図である。
【図２】庇の他の実施例の外観を示す側面図である。
【図３】アームの取付状態を拡大して示すパイプの一部を省略した側面図である。
【図４】パイプの両端部への連結板の取付構造を示すパイプの一部を省略した断面図である。
【図５】アームの支持金具および連結金具の構成を併せて示した断面図である。
【図６】パイプの内部構造を示すパイプの径方向に沿う断面図である。
【図７】パイプ内に２本の補強材が嵌挿された状態を示すパイプの径方向に沿う断面図である。
【図８】パイプ内に４本の補強材が嵌挿された状態を示すパイプの径方向に沿う断面図である。
【図９】パイプ内に他の実施例にかかる補強材が嵌挿された状態を示すパイプの径方向に沿う断面図である。
【図１０】従来の庇の外観を示す側面図である。
【発明を実施するための形態】
【００１４】
図１は、この発明の一実施例である庇１の外観を示している。
この庇１は、建物の外壁面１０から前方へ張り出すように設けられるもので、庇板２と、建物の外壁面１０に固着され庇板２の基端部を全幅にわたって保持する保持具３と、庇板２の先端縁に全幅にわたって装着される樋状の縁板３０とで構成されている。図示例の庇１は、張出し量が比較的大きな庇であり、庇板２が２本のアーム４によってやや前下がりの状態に支持されている。
【００１５】
２本のアーム４は庇板２の左右対称位置に配置されているが、アーム４の本数は２本に限らず、庇板２の幅に応じて増減することができる。なお、図示例では、庇板２はアーム４により上方より支持されているが、図２に示す実施例のように、庇板２を同様のアーム４により下方より支持することもできる。また、図２の実施例では、庇板２は後下がりの状態で支持されており、雨水は図１の実施例では縁板３０の側へ、図２の実施例では保持具３の側へ、それぞれ導かれて排水処理される。
【００１６】
この実施例の庇板２は、図示を省略するが、アルミニウムの押出加工により形成された複数の板材を、側端面を互いに突き合わせるようにして幅方向へ連結した構造のものであるが、これに限らず、一枚物の金属板、合成樹脂板、ガラス板などを用いて庇板２を構成することもできる。
【００１７】
各アーム４は、長さ調節が可能な構成のものであり、図３に示すように、パイプ４０と、建物の外壁面１０に取り付けられパイプ４０の一端部にネジ止めされた連結板６０を枢軸６２を介して支持する支持金具８と、庇板２の上面に取り付けられパイプ４０の他端部にネジ止めされた連結板７０が枢軸７２を介して連結される連結金具９とで構成されている。この実施例のパイプ４０は、アルミニウムの押出加工により形成されたものであるが、アルミニウムに限らず、ステンレスなどの金属製のパイプを用いることができる。パイプ４０内には、図６に示すように、中心位置に筒状壁４１、筒状壁４１の周囲の等角度位置毎に径方向に沿う補強リブ４２がそれぞれ全長にわたって一体に形成されている。図示例の補強リブ４２は９０度等角の各位置に設けられているが、これに限らず、１８０度等角位置、６０度等角の位置、４５度等角の位置などに設けてもよい。
【００１８】
パイプ４０の一端部には、図４に示すように、筒状壁４１の内孔にネジを切ることによりネジ孔４３が形成され、このネジ孔４３にネジ軸６がねじ込まれている。パイプ４０の他端部にも、同様のネジ孔４４が形成され、そのネジ孔４４に同様のネジ軸７がネジ込まれている。各ネジ軸６，７はネジの方向が逆向きに設定されており、パイプ４０を一方向へ軸回動したとき、各ネジ軸６，７がパイプ４０の両端面に装着されたキャップ４５，４６より突き出てアーム４の全長が長くなる。また、パイプ４０を反対方向へ回転させたとき、各ネジ軸６，７がパイプ４０の内部へ入り込んでアーム４の全長が短くなる。なお、図中、４７，４８は各ネジ軸６，７の緩みを阻止するためのナットである。
【００１９】
各ネジ軸６，７の他端部にはそれぞれ連結板６０，７０が一体に設けられている。一方の連結板６０には、支持金具８に支持された前記枢軸６２を通す孔６１が、他方の連結板７０には、連結金具９に支持された前記枢軸７２を通す孔７１が、それぞれ開設されている。各連結板６０，７０は枢軸６２，７２に対してそれぞれ回動自由であり、これにより、パイプ４０が支持金具８よび連結金具９に対して上下方向へ傾動可能となっている。
【００２０】
この実施例の支持金具８および連結金具９は同じ構成のものであり、図５に支持金具８および連結金具９の構成を併せて示してある。図示例の支持金具８は、平板矩形状の基板８０の上面中央部に左右一対の垂直板８１，８１が一体に突設されたものである。また、連結金具９も、平板矩形状の基板９０の上面中央部に左右一対の垂直板９１，９１が一体に突設された形態のものである。
【００２１】
支持金具８は建物の外壁面１０にボルト８２およびナット（図示せず）により取り付けられ、連結金具９は庇板２の上板面に２本のボルト９２およびナット（図示せず）により取り付けられる。それぞれの基板８０，９０の両側部分の長さ中央部にはボルト８２，９２を通す円形のボルト通し孔８４，９４が形成されている。
支持金具８の各垂直板８１，８１には枢軸６２を通して取り付けるための円形の取付孔８５が、連結金具９の各垂直板９１，９１には枢軸７２を通して取り付けるための円形の取付孔９５が、それぞれ高さ中央部に形成される。この実施例の各枢軸６２，７２はボルトにより構成されており、ナットにより垂直板８１，９１に取付固定されている。
【００２２】
支持金具８の各垂直板８１，８１は、枢軸６２に軸支される連結板６０が入り込むことが可能な隙間を隔てて対向している。また、連結金具９の各垂直板９１，９１は、枢軸７２に軸支される連結板７０が入り込むことが可能な隙間を隔てて対向している。
【００２３】
パイプ４０内の筒状壁４１の周囲の空間は補強リブ４２により仕切られ、隣合う補強リブ４２，４２間に同じ扇形状の中空部ａ〜ｄが形成されている。各中空部ａ〜ｄには、図７および図８に示すように、ステンレス、アルミニウムなどの棒状をなす金属製の補強材５がパイプ４０のほぼ全長にわたって嵌挿することが可能になっている。図７は、対角位置の２つの中空部ａ，ｃにそれぞれ補強材５を嵌挿した状態を示し、図８は、全ての中空部ａ〜ｄに補強材５をそれぞれ嵌挿した状態を示している。なお、補強材５は中空部ａ〜ｄのいずれか１つに嵌挿してもよく中空部ａ〜ｄのいずれか３つに嵌挿してもよい。
【００２４】
この実施例の補強材５は、各中空部ａ〜ｄと一致する形状の棒状体であって各中空部ａ〜ｄに緊密に嵌合するように構成されているが、図９に示す実施例のように、帯板材より成る補強材５を用いて補強リブ４２として機能させることもできる。図９の実施例では、パイプ４０の内周面と筒状壁４１の外周面との対向位置に、帯板状の補強材５の上下各縁が摺動自由に嵌合する溝４９Ａ，４９Ｂがそれぞれ全長にわたって形成されている。
【００２５】
上記した構成の庇１は、張出し長さが小さければ、いずれの中空部ａ〜ｄにも補強材５が嵌挿されていないパイプ４０を用いたアーム４が設けられる。張出し長さが大きければ、中空部ａ〜ｄのいずれかに補強材５が嵌挿されたパイプ４０を用いたアーム４が設けられる。パイプ４０に嵌挿される補強材５の本数は庇板２の張出し長さに応じて設定する。パイプ４０は筒状壁４１の周囲に複数の補強リブ４２が設けられているので、補強材５が嵌挿されていなくてもパイプ４０の強度は高められており、さらに、補強材５の嵌挿によって、挿入本数に応じた強度に高められる。
パイプ４０は庇板２の張出し長さに応じた補強が可能な構成になっているので、同じパイプ４０を庇板２の張出し長さが異なる庇に使用することが可能であり、庇板２の張出し長さに応じて強度の異なる複数種類のパイプを用意する必要がない。
【符号の説明】
【００２６】
１    庇
２    庇板
３    保持具
４    アーム
５    補強材
６    支持金具
７    連結金具
４０  パイプ
４１  筒状壁
４２  補強リブ
【図１】
2012087539.tif 000003
【図２】
2012087539.tif 000004
【図３】
2012087539.tif 000005
【図４】
2012087539.tif 000006
【図５】
2012087539.tif 000007
【図６】
2012087539.tif 000008
【図７】
2012087539.tif 000009
【図８】
2012087539.tif 000010
【図９】
2012087539.tif 000011
【図１０】
2012087539.tif 000012